(57)【要約】      （修正有）【課題】船に乗りながら港湾に設置されている取付環にロープを通して係留することのできる紐材取付器材を提供する。【解決手段】離れた位置から取付環に紐材を通すための器材であって、略コの字状の枠体と紐材固定部からなる。平常時において、紐材固定部は枠体の開口部分の下端部に回動自在に取り付けられているが、使用時には紐材固定部が回動し、枠体の開口部分の上端部に係合する。そして、紐材固定部材が枠体下端部の取り付けから開放される。これにより取付環に紐材、ロープを通すことが可能となる。【選択図】図１
0003144894.tif 000002
【実用新案登録請求の範囲】
【請求項１】
離れた位置から取付環に紐材を通すための器材であって、
紐材固定部材と、開口部分を有する枠体と、からなり、
前記紐材固定部材は、前記枠体の開口部分の一方の端部に回動自在に取り付けられ、紐材固定部材が枠体の他方の端部と係合したときに、回動自在に取り付けられた一方の端部が開放されることを特徴とする紐材取付器材。
【請求項２】
枠体は略コの字状であり、内側に空間部分を有し、
開口部分を形成する枠体の開口端部の一方に紐材固定部材と係合するための紐材固定部係合機構が形成され、
他方の端部には紐材固定部材が嵌まる孔が形成され、
該孔の開放部分が枠体のうち開口部分がある方向とほぼ同じ向きに形成されていることを特徴とする請求項１に記載の紐材取付器材。
【請求項３】
枠体の開口部分と対向する位置に、枠体の開口方向と反対方向に向かって柄が形成されていることを特徴とする請求項１または２のいずれかに記載の紐材取付器材。
【請求項４】
紐材固定部係合機構は、枠体の開口部分の上方端に、空間部分に向くツメを設けたフックであって、このフックの懐部分にストッパーを設けて紐材固定部材の係合部を係止することを特徴とする請求項１、２または３のいずれかに記載の紐材取付器材
【請求項５】
紐材固定部材は、固定部分と、係合部と嵌合部とこれらを結ぶ連結材と、からなり、
前記係合部は、紐材固定部材により枠体の開口部分を閉じるとき、枠体の紐材固定部係合機構と係合し、少なくとも該係合部と前記連結材とにより紐材を通し得る通過部分が形成され、
前記嵌合部は、枠体の孔に嵌まり込み、該嵌合部を軸として紐材固定部材が枠体の空間部分を回動して開口部分を開閉するとともに、
前記嵌合部には突出部分があり、該突出部分により平常時には嵌合部が開放部分から開放されないが、紐材固定部材が枠体の開口部分を閉じたとき孔から嵌合部が外れることを特徴とする請求項１、２、３または４のいずれかに記載の紐材取付器材。
【請求項６】
紐材固定部材は棒状の係合部と嵌合部と２つの連結材とを結合させた方形状の形態であって、
固定部分は台座を介して２つの連結材間の上に位置し、
紐材を固定する固定位置が、２つの連結材間の中心線よりも一方の連結材側に偏って位置することを特徴とする請求項５に記載の紐材取付器材。
【考案の詳細な説明】
【技術分野】
【０００１】
本考案は、紐材、特にロープを用いて船を係留する場合に、港湾に設置されている取付環にロープを通して係留されるところ、それを船に乗りながら容易にすることができる取付器材に関する。
【背景技術】
【０００２】
従来、ロープを用いて船を係留する場合、船から港湾にいる者にロープを投げ渡してそれを取付環に固定してもらっていた。この場合、船内と港湾との２人以上が必要となる。
船内にしか人がいない場合、船が港湾に入って係留地点に到着した後に、この者がロープをもって一旦船から陸地に上がって取付環に固定する必要があった。
【０００３】
それを解消するために、例えば、特許文献１に示すものが提案されている。
【特許文献１】特開２００２−６８０７４号公報
【０００４】
これは、支点を利用してロープを取り付けるものであるが、使用が難しかった。
【考案の開示】
【考案が解決しようとする課題】
【０００５】
そこで、船内にいる者が一人でロープその他の紐材を港湾の取付環に通すことができるようにする取付器材が求められていた。しかも、簡単かつ確実に取付環にロープを通すことができるようにすることが望まれた。
【課題を解決するための手段】
【０００６】
そこで、本考案の紐材取付器材は、離れた位置から取付環に紐材を通すための器材であって、紐材固定部材と、開口部分を有する枠体と、からなり、前記紐材固定部材は、前記枠体の開口部分の一方の端部に回動自在に取り付けられ、紐材固定部材が枠体の他方の端部と係合したときに、回動自在に取り付けられた一方の端部が開放されることを特徴とする。
【０００７】
また、枠体は略コの字状であり、内側に空間部分を有し、開口部分を形成する枠体の開口端部の一方に紐材固定部材と係合するための紐材固定部係合機構が形成され、他方の端部には紐材固定部材が嵌まる孔が形成され、該孔の開放部分が枠体のうち開口部分がある方向とほぼ同じ向きに形成されていることが好ましい。
【０００８】
また、枠体の開口部分と対向する位置に、枠体の開口方向と反対方向に向かって柄が形成されていることが好ましい。
【０００９】
また、紐材固定部係合機構は、枠体の開口部分の上方端に、空間部分に向くツメを設けたフックであって、このフックの懐部分にストッパーを設けて紐材固定部材の係合部を係止することが好ましい。
【００１０】
また、紐材固定部材は、固定部分と、係合部と嵌合部とこれらを結ぶ連結材と、からなり、前記係合部は、紐材固定部材により枠体の開口部分を閉じるとき、枠体の紐材固定部係合機構と係合し、少なくとも該係合部と前記連結材とにより紐材を通し得る通過部分が形成され、前記嵌合部は、枠体の孔に嵌まり込み、該嵌合部を軸として紐材固定部材が枠体の空間部分を回動して開口部分を開閉するとともに、前記嵌合部には突出部分があり、該突出部分により平常時には嵌合部が開放部分から開放されないが、紐材固定部材が枠体の開口部分を閉じたとき孔から嵌合部が外れることが好ましい。
【００１１】
また、紐材固定部材は棒状の係合部と嵌合部と２つの連結材とを結合させた方形状の形態であって、固定部分は台座を介して２つの連結材間の上に位置し、紐材を固定する固定位置が、２つの連結材間の中心線よりも一方の連結材側に偏って位置することが好ましい。
【考案の効果】
【００１２】
本考案の紐材取付器材によると、従来一人でロープを港湾の係留地点の取付環に通して船舶などを係留する場合、いったんロープをもって船から降りて取付環に通してしたが、船舶にいたままでロープを取付環に通すことが可能になる。
しかも、ロープを固定した後に、取付環を枠体の内側の空間部分に一旦通して、その後柄を引っ張ると紐材固定部材が回動する仕組みとなっているので、作業する者は柄をもって引いてから押すのみでよいという簡便な方法でロープを取付環に通すことができる。
【００１３】
また、紐材固定部材の固定部分が二つの連結材の中心線より一方に偏っていることで、固定した紐材が係合部の中心付近を通ることを避けることができ、これにより係合が容易となり、作業する者が容易に本考案の紐材取付器材を使用することが可能となる。
さらに、紐材が紐材固定部材の通過部分をくぐり、係合部の下側を通ることにより、係合部の係合に障害となることなく、より容易に本考案の紐材取付器材を使用することが可能となる。
【考案を実施するための最良の形態】
【００１４】
そこで、本考案の紐材取付器材１について図面に沿って説明する。
図１、図２は紐材取付器材１の一例を示すものであり、図３から図５は紐材固定部材１３の一例を示す。また、図６から図１０は紐材取付器材１を取付環２に取り付ける状態の一例を示す。
【００１５】
図１、図２に示すように、本考案の紐材取付器材１は、枠体１１と柄１２と紐材固定部材１３とからなる。枠体１１は先端側が開口する開口部分２１を有する略コの字状の形態である。柄１２は略コの字状の枠体１１のうち、開口部分２１と対向する部分に取り付けられており、使用者が柄１２を持つと開口部分２１が柄１２の先端方向に位置する状態となる。
【００１６】
紐材固定部材１３は、開口部分２１がある枠体１１の両開口端２３ａ、２３ｂに着脱可能に取り付けられている。両開口端は、上方端２３ａと下方端２３ｂであり、上方端２３ａは紐材固定部材係合機構２２としてフック２４とストッパー３１とからなる。下方端２３ｂは孔２５が形成されている。そして、略コの字状の枠体１１の開口部分２１から枠内にかけて空間部分２６が形成されている。
【００１７】
上方端２３ａ側の紐材固定部材係合機構２２にあるストッパー３１には解除ピン３２が取り付けられている。フック２４は前記空間部分２６に延びるツメを有するフック状の形状をしており、前記紐材固定部材１３がフックの懐位置まで回動して係合するように位置取りされている。そして、図１に示すように、紐材固定部材１３の係合部４２が一点鎖線Ａの軌道を通るように、紐材固定部材１３を回動させることができる。
【００１８】
前記ストッパー３１は、枠体１１の内部に備えられている係合スプリング３７を介してフック２４の内側である懐位置の近辺において紐材固定部材１３の回動軌道Ａに先端を突出させることできる。そして、ストッパー３１がフック２４の内側に突出した部分のうち空間部分側に傾斜面３５、その反対側に垂直面３６が形成されている。これにより、紐材固定部材１３が通ると前記傾斜面３５にあたり、この傾斜面３５により、紐材固定部材１３の回動作用による運動力がストッパー３１を押し上げる力として作用し、ストッパー３１が上方に押し上げられる。そして、紐材固定部材１３がフック２４の懐部分に移動すると、ストッパー３１が前記係合スプリング３７の弾揆力により自動的に下りて、フック２４の懐位置で紐材固定部材１３の係合部４２を係合する。傾斜面３５と異なり、係合部４２が垂直面３６を押してもストッパー３１を押し上げる力が作用しないので、係合状態を継続することができる。
【００１９】
また、係合状態を解除するときは、作業する者が枠体１１の外側に形成される解除ピン３２を引っ張ってストッパー３１を引き上げることでなすことができる。解除ピン３２はストッパー３１の上端に取り付けられている環状部材であって、これを引っ張り上げるとストッパー３１が引き上げられ、紐材固定部材１３の係合部４２との係合が解除される。
【００２０】
また、枠体１１の両開口端のうち下方端２３ｂは、開放部分３３を有する孔２５が形成されている。孔２５に形成されている開放部分３３の向きは、枠体１１における開口部分２１とほぼ同じ向きである。また、枠体１１の下方端２３ｂの近傍には、その内面方向に隆起する隆起部分３４が形成されている。
【００２１】
図３から図５、特に図３に示すように、前記紐材固定部材１３は先端側の係合部４２と、基端側の嵌合部４３と、両者に跨るように配置されている２つの連結材４９、４９と、前記係合部４２と嵌合部４３との間に配置された固定部分４１とからなる。
前記係合部４２と嵌合部４３は連結材４９、４９とともに方形状の外枠のように配置され、この枠の内側が通過部分４４となり、この外枠の上側に固定部分４１を載せるように取り付けてある。さらに詳細に述べるならば、前記固定部分４１は台座４５と２つの固定部材４６、４６とからなり、台座４５を２つの連結材４９、４９に跨るように固定し、その上に２つの固定部材４６、４６をビス４８、４８により回動可能にビス止めしてある。そして台座４５は、図３、図５に示すように、台座４５の中心線と、２つの連結材４９、４９間の中心線とは一致させないで、図３、図５の下方向へ偏たるように位置させてある。これは、中央に位置させると、図５の破線で示すようにロープ３も係合部４２の中央付近を通ることになり、係合部４２とフック２４との係合に障害となる可能性がある。そこで、なるべくロープ３が係合部４２とフック２４との係合に障害とならないように、図３、図５の下方向へ偏たるように台座４５を配置してある。
【００２２】
２つの固定部材４６、４６は平面断面の曲率半径を異ならしめた突起状の形状を有し、上述したように上方から回動可能にビス止めされている。図５に示すように、ロープ３の固定方法は、曲率半径が異なる２つの固定部材４６、４６を回転させて両部材４６、４６の間を広くとり、紐材たるロープ３を通す、そして、２つの固定部材４６、４６を再び回転させてロープ３を挟み込むことによって固定する。なお、２つの固定部材４６、４６のうちロープ３と接触する面に切れ目を入れた歯状の滑り止めを形成して固定しやすくしておくとよい。
【００２３】
前記係合部４２の形状は、基本的には２つの連結材４９、４９と同じく棒状であるが、紐材固定部材係合機構２２のフック２４に係合しやすいように断面が円形に形成され、かつ、強度的に問題がない程度に細くしてある。これは、フック２４に係合し易いようにするためである。
また、前記嵌合部４３は係合部４２と対向する側に形成されている。これも基本的には２つの連結材４９、４９と同じく棒状であるが、孔２５に嵌合して軸として紐材固定部材１３を回動させるために一定の強度を保つ必要がある。そして、紐材固定部材１３の係合部４２が紐材固定部材係合機構２２のフック２４に係合したときに孔２５の開放部分３３から嵌合部４３が解放されるように、嵌合部４３は係合位置で開放部分３３に向く突出部分４３ａを有する形状となる。この突出部分４３ａは孔２５の半径と同程度の長さであり、本実施例では２つの連結材４９、４９とほぼ直交する方向に突出させてある。
【００２４】
次に、本実施例における紐材取付器材１の機能、作用について説明する。
図６に示すように、紐材取付器材１は、平常時は嵌合部４３が孔２５に嵌合された状態で、紐材固定部材１３が略コの字状の枠体１１内にあり、下側の枠２７側に位置している。
この紐材取付器材１を使用する場合、まず、図５に示すように、紐材固定部材１３の２つの固定部材４６、４６を回転させてロープ３を挟み込んで固定させる。そして、ロープ３を通過部分４４に通しておくと、ロープ３は係合部４２の下側を通ることになり、係合部４２と前記フック２４との係合の障害とならない。
なお、紐材はロープ３を使用することが好ましいが、紐状の係留材であれば例えばチェーンなどでも使用することが可能である。
【００２５】
次に、港湾の係留位置にある取付環２に届くまで作業する者が柄１２をもって近づき、略コの字状の枠体１１の空間部分２６に取付環２を開口部分２１から通す。そして、取付環２が枠体１１の下側の枠２７に引っ掛かるように作業する者が若干紐材取付器材１を上げておくと、図６のような状態となる。
この状態から作業する者が柄１２を引くと、取付環２が枠体１１の下側の枠２７に沿って開口部分２１方向へ戻される（図６の矢印Ｂの方向）。そして、図７に示すように、取付環２がロープ３や２つの連結材４９、４９と接触すると、取付環２がロープ３や紐材固定部材１３の下側に潜り込むようになり、紐材固定部材１３を押し上げることになるので、紐材固定部材１３を一点鎖線矢印Ａの方向へ回動させる力が作用する。
【００２６】
図８、図９に示すように、紐材固定部材１３が押し上げられると、最終的には係合部４２が紐材固定部係合機構２２のフック２４に係合する。すると上述したように、ストッパー３１が作動し、フック２４の懐部分に係合部４２が係合し、これ以上回動できないようになる。
かくして、平常時において、開口部分２１が開口されていた状態から、紐材固定部材１３により開口部分２１が閉じられた状態となる。
【００２７】
そして、図９に示すように、フック２４に係合してもさらに柄１２を引くと、嵌合部４３の突出部分４３ａの突出方向と開放部分３３の位置が一致し、突出部分４３ａの幅が開放部分３３の幅より小さいため、開放部３３から嵌合部４３が開放される。これは、作業する者が柄１２を引くことで取付環２が図７の矢印Ｂの方向に力が作用するところ、紐材固定部材１３がフック２４と係合して固定されることにより、矢印Ｂ方向へ作用する力が次に嵌合部４３を押し出す力として作用する。
これにより、平常時では開放部２１の下方端２３ｂに紐材固定部材１３が取り付けられているが、それに代わって図９に示すように、上方端２３ａに紐材固定部材１３が取り付けられ、下方端２３ｂが開放された状態となる。
【００２８】
そして、図１０に示すように、そのまま柄１２を引き続けると、嵌合部４３が開放されたところから取付環２も空間部分２６から開口部分２１を通って枠体１１の外へでることになる。これにより、ロープ３を取付環２の内側から通して、取付環２の上側から引き出すような状態となり、取付環２にロープ３を通すことができる。
【図面の簡単な説明】
【００２９】
【図１】本考案の紐材取付器材の一例を示す側面図であり、一部を切り欠いて示す。
【図２】本考案の紐材取付器材の一例を示す側面図であり、紐材固定部材の係合部で枠体と係合し、嵌合部が開放された状態を示す。
【図３】本考案の紐材取付器材に用いられている紐材固定部材の平面図である。
【図４】紐材固定部材の側面図である。
【図５】紐材固定部材の平面図で、ロープを通した状態を示す。
【図６】本考案の紐材取付器材の使用状態の一例を示す側面図であり、作業する者が柄を引いて、紐材固定部材を回動させる前の状態を示す。
【図７】図６の状態から、作業する者が柄を引き、紐材固定部材を回動させて開口部分の上方端に係合させる前の状態を示す。
【図８】図７の状態から、紐材固定部材が開口部分の上方端に係合された状態を示す。
【図９】図８の状態から紐材固定部材の嵌合部が開放された状態を示す。
【図１０】本考案の紐材取付器材の紐材固定部材が開口部分の上方端に係合し、下方端の嵌合が開放された状態を示す側面図である。
【符号の説明】
【００３０】
１…紐材取付器材
２…取付環
３…ロープ
１１…枠体
１２…柄
１３…紐材固定部材
２１…開口部分
２２…紐材固定部材係合機構
２３ａ…開口部分上端部
２３ｂ…開口部分下端部
２４…フック
２５…孔
２６…空間部分
２７…下側の枠
３１…ストッパー
３２…解除ピン
３３…開放部分
３４…隆起部分
３５…傾斜面
３６…垂直面
３７…係合スプリング
４１…固定部分
４２…係合部
４３…嵌合部
４３ａ…突出部分
４４…通過部分
４５…台座
４６…固定部分
４８…ビス
４９…連結材
【図１】
0003144894.tif 000003
【図２】
0003144894.tif 000004
【図３】
0003144894.tif 000005
【図４】
0003144894.tif 000006
【図５】
0003144894.tif 000007
【図６】
0003144894.tif 000008
【図７】
0003144894.tif 000009
【図８】
0003144894.tif 000010
【図９】
0003144894.tif 000011
【図１０】
0003144894.tif 000012